(57)【要約】【課題】排出する大径記録媒体が幅方向の常に一方向のみによってしまう場合でも、当該大径記録媒体を機器本体外に確実に排出することができる情報処理装置を提供する。【解決手段】ＣＤプレーヤ１は機器本体３内に大径ＣＤ２ａと小径ＣＤ２ｂとを出し入れする。ＣＤプレーヤ１はディスクセンタリング機構４とロック機構７を備えている。ロック機構７はディスクセンタリング機構４の一対のセンタリングアーム２０ａ，２０ｂのいずれか一方のみの突出ピン２４が他方の突出ピン２４から離れる方向に押圧されると大径ＣＤ２ａを機器本体３に出し入れ可能とするまで一対のセンタリングアーム２０ａ，２０ｂのアーム本体２３が回転することを規制する。ロック機構７のカム孔２５の中心線はアーム本体２３の回転を規制する第１及び第２凹み２６ａ，２６ｂを境にずれている。【選択図】図３
2010192014.tif 000002
【特許請求の範囲】
【請求項１】
互いに大きさの異なる大径記録媒体と小径記録媒体とを機器本体内に出し入れして、これらの記録媒体に記録された情報を読み出す情報処理装置において、
機器本体に回転自在に支持されたアーム本体と、前記アーム本体の前記機器本体の挿入口寄りの一端部に設けられ前記大径記録媒体と小径記録媒体との双方と接触可能な突出ピンと、を有した第１センタリングアームと、
前記第１センタリングアームと前記機器本体の幅方向に間隔をあけて配置され、かつ機器本体に回転自在に支持されたアーム本体と、前記アーム本体の前記挿入口寄りの一端部に設けられ前記大径記録媒体と小径記録媒体との双方と接触可能な突出ピンと、を有した第２センタリングアームと、
前記第１センタリングアームと前記第２センタリングアームの前記アーム本体を同期させて回転させるリンクレバーと、
前記第１センタリングアームと前記第２センタリングアームの突出ピンが互いに近づく方向に付勢する付勢手段と、
カム孔と、前記第１センタリングアームと前記第２センタリングアームの回転に連動して前記カム孔内を移動するカムピンと、前記カム孔の内縁から凹に形成されかつ前記第１センタリングアームの突出ピンのみが第２センタリングアームの突出ピンから離れる方向に押圧されると前記カムピンが侵入して前記大径記録媒体を前記機器本体に出し入れ可能とするまで前記第１及び第２センタリングアームのアーム本体が回転することを規制する第１凹みと、前記カム孔の内縁から凹に形成されかつ前記第２センタリングアームの突出ピンのみが第１センタリングアームの突出ピンから離れる方向に押圧されると前記カムピンが侵入して前記大径記録媒体を前記機器本体に出し入れ可能とするまで前記第１及び第２センタリングアームのアーム本体が回転することを規制する第２凹みとを有し、前記第１センタリングアームの初期位置から前記カムピンが前記第１凹み内に侵入するまでの前記第１センタリングアームの前記アーム本体の回転角度が前記第２センタリングアームの初期位置から前記カムピンが前記第２凹み内に侵入するまでの前記第２センタリングアームの前記アーム本体の回転角度よりも小さく形成されたロック機構と、を備え、
前記大径記録媒体を排出する際に、前記カムピンが前記初期位置から前記第１凹みに至る間は当該カムピンが前記カム孔の前記第１凹みと相対する内縁に摺動し、かつ前記カムピンが前記第１凹みを過ぎると、前記カムピンが前記カム孔の前記第２凹みと相対する内縁に摺動するように、前記カム孔は、前記第１及び第２の凹みを境にして、その中心線がずれていることを特徴とする情報処理装置。
【請求項２】
前記ロック機構は、前記カム孔を前記第１センタリングアームと前記第２センタリングアームとのそれぞれに設け、前記カムピンを前記リンクレバーの両端部に設けたことを特徴とする請求項１記載の情報処理装置。
【請求項３】
前記ロック機構は、前記カム孔を前記機器本体に設け、前記第１凹みを前記カム孔の前記第１センタリングアームから離れた側の内縁に設け、前記第２凹みを前記カム孔の前記第２センタリングアームから離れた側の内縁でかつ前記第１凹みよりも前記挿入口寄りに設けたことを特徴とする請求項１記載の情報処理装置。
【発明の詳細な説明】
【技術分野】
【０００１】
本発明は、例えば、Compact Discなどの記録媒体から情報を読み出す記媒体再生装置に関する。
【背景技術】
【０００２】
例えば、移動体としての自動車のインストルメントパネル（以下インパネと呼ぶ）には、例えば、外径が１２ｃｍの大径Compact Disc（以下ＣＤと呼ぶ）と外径が８ｃｍの小径ＣＤなどの大きさの異なる記録媒体が選択されて挿入されて、当該記録媒体の情報を読み出す情報処理装置としてのＣＤプレーヤ（例えば、特許文献１参照）が取り付けられる。
【０００３】
前記ＣＤプレーヤは、前記インパネに取り付けられる機器本体と、前記機器本体に開口した記録媒体挿入口と、搬送ユニットと、案内手段としてのディスクセンタリング機構と、前記ＣＤに記録された情報を読み出すための再生ユニット等を備えている。機器本体は、複数の板金などが互いに組み付けられて箱状のシャーシを備えている。記録媒体挿入口は、内側に前記ＣＤが通される。
【０００４】
搬送ユニットは、記録媒体挿入口内を通されたＣＤを所定の再生位置まで搬送したり、前記再生位置からＣＤを記録媒体挿入口まで搬送して該ＣＤを機器本体内から排出する。搬送ユニットは、互いに接離自在に設けられた一対の挟持部材を備えている。
【０００５】
これら一対の挟持部材のうち一方は、モータなどの駆動源によって回転駆動される搬送ローラを備えている。搬送ローラは、前記モータなどの駆動源によって回転駆動されることによって、ＣＤを搬送する。他方の挟持部材は、摩擦係数の小さい滑り部材を備えている。滑り部材は、前記搬送ローラとの間に前記ＣＤを挟んで、該ＣＤの搬送方向を案内する。搬送ユニットは、一対の挟持部材間にＣＤを挟んで、前記ＣＤを搬送する。
【０００６】
ディスクセンタリング機構は、一対のセンタリングアームと、リンクレバーと、付勢手段としてのコイルばねと、ロック機構を備えている。ディスクセンタリング機構は、前記記録媒体挿入口の近傍に配されている。
【０００７】
一対のセンタリングアームは、機器本体の幅方向に沿って互いに間隔をあけて配されている。一対のセンタリングアームは、記録媒体挿入口寄りの一端部が互いに近づいたり互いに離れたりするように、前記機器本体のシャーシに回転自在に支持されたアーム本体と、このアーム本体の記録媒体挿入口寄りの一端部から突出した突出ピンと、を備えている。
【０００８】
リンクレバーは、センタリングアームのアーム本体それぞれと回転自在に連結している。リンクレバーは、突出ピンが互いに離れかつ当該突出ピンが互いに近づくように、一対のセンタリングアーム同士を同期させて回転させる。コイルばねは、突出ピンが互いに近づく方向にセンタリングアームなどを付勢している。
【０００９】
ロック機構は、いずれか一方の突出ピンのみが他方の突出ピンから離れる方向に押圧されると、大径ＣＤを機器本体に出し入れ可能とするまで一対のセンタリングアームのアーム本体が回転することを規制する。
【００１０】
再生ユニットは、前記ＣＤを回転するために回転テーブルと、前記ＣＤに記録された情報を読み出すための光ピックアップ等を備えている。再生ユニットは、前記ＣＤを前記再生位置に位置決め（クランプ）して、回転テーブルがＣＤを回転して、光ピックアップが前記ＣＤに記録された情報を読み出す。
【００１１】
前記ＣＤが記録媒体挿入口を通して機器本体３内に挿入されると、まず、ＣＤが突出ピンに接触する。そして、ＣＤは、前記一対の挟持部材間に挟まれる。搬送ローラの回転によってＣＤが機器本体内に搬送されるのにしたがって、突出ピンが互いに離れる方向にアーム本体が徐々に回転する。一対のセンタリングアームの突出ピンは、前記再生位置にＣＤを案内する。こうして、情報処理装置は、ＣＤを機器本体外から再生位置に搬送してきた。このとき、小径ＣＤが挿入されて当該小径ＣＤがいずれか一方の突出ピンのみを押圧した場合、ロック機構は大径ＣＤを機器本体に出し入れ可能とするまで一対のセンタリングアームのアーム本体が回転することを規制する。また、大径ＣＤが挿入されると、当該大径ＣＤは双方の突出ピンを押圧してロック機構がアーム本体の回転を規制せずに、大径ＣＤを機器本体に出し入れ可能とするまで一対のセンタリングアームの突出ピンが互いに離れる。
【００１２】
そして、前記ＣＤは再生ユニットにクランプされて、該再生ユニットによって情報を取り出される。情報処理装置は、取り出された情報を音声として出力する。ＣＤを機器本体外に搬出する際には、まず、回転テーブルの回転を止める。搬送ユニットの搬送ローラを先ほどとは逆方向に回転させて、ＣＤを記録媒体挿入口内に通して機器本体内から機器本体外に徐々に搬送する。
【００１３】
このとき、突出ピンがＣＤに接触する。一対のセンタリングアームの突出ピンは、ＣＤの排出にしたがって、互いに離れたり近づいたり（接離）する。そして、一対のセンタリングアームの突出ピンは、前記ＣＤの排出方向を案内する。このときも、小径ＣＤを排出して当該小径ＣＤがいずれか一方の突出ピンのみを押圧した場合、ロック機構は大径ＣＤを機器本体に出し入れ可能とするまで一対のセンタリングアームのアーム本体が回転することを規制する。また、大径ＣＤを排出する際には、当該大径ＣＤが双方の突出ピンを押圧してロック機構がアーム本体の回転を規制せずに、大径ＣＤを機器本体に出し入れ可能とするまで一対のセンタリングアームの突出ピンが互いに離れる。
【先行技術文献】
【特許文献】
【００１４】
【特許文献１】特開２００２−３１３００７号公報
【発明の概要】
【発明が解決しようとする課題】
【００１５】
前述したＣＤプレーヤは、経年変化により搬送ローラに異物が付着したり、部品の公差などにより、ＣＤを排出する際に、当該排出されるＣＤが幅方向の常に一方向のみによってしまう（右のみによったり左のみによってしまう）ことがあった。この場合、大径ＣＤを排出する際には、当該大径ＣＤが常に同じいずれか一方の突出ピンのみを押圧することとなって、前述したロック機構により大径ＣＤを機器本体に出し入れ可能とするまで一対のセンタリングアームのアーム本体が回転することを規制されてしまう。この場合、勿論、当該大径ＣＤを機器本体外に排出できなくなってしまう。
【００１６】
したがって、本発明の目的は、例えば、経年変化により搬送ローラに異物が付着したり、部品の公差などにより、排出する大径記録媒体が幅方向の常に一方向のみによってしまう場合でも、当該大径記録媒体を機器本体外に確実に排出することができる情報処理装置を提供することにある。
【課題を解決するための手段】
【００１７】
前記課題を解決し目的を達成するために、請求項１に記載の本発明の情報処理装置は、互いに大きさの異なる大径記録媒体と小径記録媒体とを機器本体内に出し入れして、これらの記録媒体に記録された情報を読み出す情報処理装置において、機器本体に回転自在に支持されたアーム本体と、前記アーム本体の前記機器本体の挿入口寄りの一端部に設けられ前記大径記録媒体と小径記録媒体との双方と接触可能な突出ピンと、を有した第１センタリングアームと、前記第１センタリングアームと前記機器本体の幅方向に間隔をあけて配置され、かつ機器本体に回転自在に支持されたアーム本体と、前記アーム本体の前記挿入口寄りの一端部に設けられ前記大径記録媒体と小径記録媒体との双方と接触可能な突出ピンと、を有した第２センタリングアームと、前記第１センタリングアームと前記第２センタリングアームの前記アーム本体を同期させて回転させるリンクレバーと、前記第１センタリングアームと前記第２センタリングアームの突出ピンが互いに近づく方向に付勢する付勢手段と、カム孔と、前記第１センタリングアームと前記第２センタリングアームの回転に連動して前記カム孔内を移動するカムピンと、前記カム孔の内縁から凹に形成されかつ前記第１センタリングアームの突出ピンのみが第２センタリングアームの突出ピンから離れる方向に押圧されると前記カムピンが侵入して前記大径記録媒体を前記機器本体に出し入れ可能とするまで前記第１及び第２センタリングアームのアーム本体が回転することを規制する第１凹みと、前記カム孔の内縁から凹に形成されかつ前記第２センタリングアームの突出ピンのみが第１センタリングアームの突出ピンから離れる方向に押圧されると前記カムピンが侵入して前記大径記録媒体を前記機器本体に出し入れ可能とするまで前記第１及び第２センタリングアームのアーム本体が回転することを規制する第２凹みとを有し、前記第１センタリングアームの初期位置から前記カムピンが前記第１凹み内に侵入するまでの前記第１センタリングアームの前記アーム本体の回転角度が前記第２センタリングアームの初期位置から前記カムピンが前記第２凹み内に侵入するまでの前記第２センタリングアームの前記アーム本体の回転角度よりも小さく形成されたロック機構と、を備え、
前記大径記録媒体を排出する際に、前記カムピンが前記初期位置から前記第１凹みに至る間は当該カムピンが前記カム孔の前記第１凹みと相対する内縁に摺動し、かつ前記カムピンが前記第１凹みを過ぎると、前記カムピンが前記カム孔の前記第２凹みと相対する内縁に摺動するように、前記カム孔は、前記第１及び第２の凹みを境にして、その中心線がずれていることを特徴としている。
【図面の簡単な説明】
【００１８】
【図１】本発明の第１の実施例にかかるＣＤプレーヤの斜視図である。
【図２】図１に示されたＣＤプレーヤのシャーシ本体及びクランプ再生ユニットなどを示す斜視図である。
【図３】図１に示されたＣＤプレーヤのディスクセンタリング機構などの構成を模式的に示す平面図である。
【図４】図３中のＩＶを拡大して示す第１センタリングアームのカム孔の平面図である。
【図５】図３中のＶを拡大して示す第２センタリングアームのカム孔の平面図である。
【図６】図３に示されたディスクセンタリング機構の第１センタリングアームのカム孔の第１凹みにカムピンが侵入した状態を示す平面図である。
【図７】図３に示されたディスクセンタリング機構の第２センタリングアームのカム孔の第２凹みにカムピンが侵入した状態を示す平面図である。
【図８】図３に示されたディスクセンタリング機構の第２センタリングアームの突出ピンに機器本体外に排出され始めた大径ＣＤの外縁が接触している状態を模式的に示す平面図である。
【図９】（ａ）は図８中のＩＸａ部を拡大して示す平面図であり、（ｂ）は図８中のＩＸｂ部を拡大して示す平面図である。
【図１０】（ａ）は図８中のＸａ部を拡大して示す平面図であり、（ｂ）は図８中のＸｂ部を拡大して示す平面図である。
【図１１】図８に示された大径ＣＤがさらに機器本体外に排出された状態を模式的に示す平面図である。
【図１２】（ａ）は図１１中のＸＩＩａ部を拡大して示す平面図であり、（ｂ）は図１１中のＸＩＩｂ部を拡大して示す平面図である。
【図１３】（ａ）は図１１中のＸＩＩＩａ部を拡大して示す平面図であり、（ｂ）は図１１中のＸＩＩＩｂ部を拡大して示す平面図である。
【図１４】図１１に示された大径ＣＤがさらに機器本体外に排出された状態を模式的に示す平面図である。
【図１５】（ａ）は図１４中のＸＶａ部を拡大して示す平面図であり、（ｂ）は図１４中のＸＶｂ部を拡大して示す平面図である。
【図１６】（ａ）は図１４中のＸＶＩａ部を拡大して示す平面図であり、（ｂ）は図１４中のＸＶＩｂ部を拡大して示す平面図である。
【図１７】図１４に示された大径ＣＤがさらに機器本体外に排出された状態を模式的に示す平面図である。
【図１８】（ａ）は図１７中のＸＶＩＩＩａ部を拡大して示す平面図であり、（ｂ）は図１７中のＸＶＩＩＩｂ部を拡大して示す平面図である。
【図１９】（ａ）は図１７中のＸＩＸａ部を拡大して示す平面図であり、（ｂ）は図１７中のＸＩＸｂ部を拡大して示す平面図である。
【図２０】本発明の第２の実施例にかかるＣＤプレーヤのディスクセンタリング機構などを模式的に示す平面図である。
【図２１】図２０に示されたＣＤプレーヤのロック機構を模式的に示す平面図である。
【図２２】図２１に示されたディスクセンタリング機構の第２センタリングアームの突出ピンに機器本体外に排出され始めた大径ＣＤの外縁が接触している状態を模式的に示す平面図である。
【図２３】図２２に示されたロック機構を模式的に示す平面図である。
【図２４】図２２に示された大径ＣＤがさらに機器本体外に排出された状態を模式的に示す平面図である。
【図２５】図２４に示されたロック機構を模式的に示す平面図である。
【発明を実施するための形態】
【００１９】
以下、本発明の一実施形態にかかる情報処理装置を説明する。本発明の一実施形態にかかる情報処理装置は、大径記録媒体を排出する際に、初期位置から第１凹みに至る間はカムピンがカム孔の第１凹みと相対する内縁に摺動し、かつ第１凹みを過ぎるとカムピンがカム孔の第２凹みと相対する内縁に摺動するように、前記カム孔の中心線を、第１及び第２の凹みを境にしてずらしている。こうすることで、大径記録媒体を排出する際に、カムピンが第１及び第２凹みに侵入して係止することを防止でき、ロック機構により第１及び第２センタリングアームのアーム本体の回転が規制されて、大径記録媒体を機器本体外に排出できなくなることを防止できる。このために、経年変化により搬送ローラに異物が付着したり、部品の公差などにより、排出する大径記録媒体が幅方向の常に一方向のみによってしまう場合でも、当該大径記録媒体を機器本体外に確実に排出することができる。
【００２０】
また、本実施形態の情報処理装置は、ロック機構が、カム孔を各センタリングアームに設け、カムピンをリンクレバーの両端部に設けてもよい。この場合、大径記録媒体を機器本体外に確実に排出することができるに加え、一本のリンクレバーにより、各センタリングアームを同期させて回転させることができるので、部品点数が増加することを防止できる。
【００２１】
さらに、本実施形態の情報処理装置は、ロック機構が、カム孔を機器本体に設け、第１凹み及び第２凹みをカム孔の内縁に設けてもよい。この場合、大径記録媒体を機器本体外に確実に排出することができるに加え、カム孔を一つのみ設け、さらに当該カム孔に第１及び第２凹みを一体に形成するので、加工に要する工数が増加することを防止できる。
【実施例１】
【００２２】
以下、本発明の第１の実施例にかかる情報処理装置の一例としてのＣＤプレーヤ１を、図１ないし図１９に基づいて説明する。図１などに示すＣＤプレーヤ１は、移動体としての自動車のインストルメントパネル（以下、インパネと呼ぶ）などに取り付けられて、外径が例えば１２ｃｍなどの比較的大径な大径記録媒体としての大径ＣＤ２ａと、外径が例えば８ｃｍなどの比較的小径な小径記録媒体としての小径ＣＤ２ｂとを使用者がいずれかを選択して、後述する機器本体３内に収容する。大径ＣＤ２ａと小径ＣＤ２ｂとは、勿論、互いに大きさが異なる。
【００２３】
ＣＤプレーヤ１は、これらの互いに大きさ（外径）の異なるＣＤ２ａ，２ｂを機器本体３内の後述する再生位置に位置させて、これらのＣＤ２ａ，２ｂに記録された情報を取り出して（再生して）、音声として出力する。なお、ＣＤ２ａ，２ｂは、勿論、ディスク形に形成されており、特許請求の範囲に記載された記録媒体をなしているとともに、円板状のコンピュータなどの電子機器で情報を読み取り可能な記録媒体である。
【００２４】
ＣＤプレーヤ１は、図１及び図２に示すように、機器本体３（図１に示す）と、搬送手段としての搬送ユニット５と、クランプ再生手段としてのクランプ再生ユニット６と、図示しない連動手段としての連動機構と、ディスクセンタリング機構４（図３に示す）と、ロック機構７（図３に示す）と、案内手段としての案内機構８（図３に示す）と、図示しない制御手段としてのμＣＯＭとを備えている。なお、以下、ＣＤ２ａ，２ｂの表面と搬送ユニット５のＣＤ２ａ，２ｂの搬送方向との双方と平行な図１中の矢印ＹをＣＤプレーヤ１の奥行き方向と記し、ＣＤ２ａ，２ｂの表面と平行でかつ前記奥行き方向Ｙと直交する矢印ＸをＣＤプレーヤ１の幅方向と記し、ＣＤ２ａ，２ｂの表面と奥行き方向Ｙと幅方向Ｘの全てと直交する矢印ＺをＣＤプレーヤ１の厚み方向と記す。
【００２５】
機器本体３は、合成樹脂や金属等からなる図１に示す外側ケース９と、図２に示すシャーシ本体１０とを備えている。
【００２６】
外側ケース９は、扁平な箱状に形成されている。外側ケース９の前述したインパネに取り付けると乗員に相対する前面９ａ（図１に示す）には、ＣＤを出し入れ可能な挿入口１１が一つ設けられている。なお、前面９ａは、外側ケース９即ちＣＤプレーヤ１がインパネに取り付けられると、該インパネの外側に露出する外側ケース９の一つの面である。
【００２７】
挿入口１１は、外側ケース９の外壁を貫通している。挿入口１１は、内側にＣＤ２ａ，２ｂを通すことができる。挿入口１１を通して、前記ＣＤ２ａ，２ｂは、外側ケース９即ち機器本体３内に収容されたり、該機器本体３内から排出される。即ち、挿入口１１は、ＣＤ２ａ，２ｂを機器本体３に出し入れ自在とする。
【００２８】
さらに、前述した前面９ａには、表示パネル１２と、各種のスイッチ１３とが設けられている。
【００２９】
表示パネル１２は、前面９ａに露出して、使用者に対し各種の情報を表示する表示領域としての表示面を備えている。表示パネル１２は、表示面に再生中のプログラム名等の情報を表示する。
【００３０】
各種のスイッチ１３は、使用者が操作するための操作部を構成している。スイッチ１３が使用者などに操作されることによって、例えば、クランプ再生ユニット６が再生するＣＤ２ａ，２ｂのプログラムの選択やＣＤ２ａ，２ｂの出し入れなどが行われる。
【００３１】
シャーシ本体１０は、図２などに示すように、複数の折り曲げられた板金などが互いに取り付けられて構成されている。シャーシ本体１０は、図２に示すように、略平坦な底板１４と、該底板１４に間隔をおいて相対する略平坦な天井板１５と、これらの底板１４と天井板１５とに連なる複数の周板１６と、を備えている。これらの板１４，１５，１６には、それぞれ、前記シャーシ本体１０の軽量化と剛性の確保とのために、複数の開口部が設けられている。
【００３２】
搬送ユニット５は、ローラアームと、ディスクガイド１７と、を備えている。ローラアームには、モータなどの駆動源によって回転駆動される搬送ローラが取り付けられている。ローラアームとディスクガイド１７とは、互いに接離自在に設けられている。搬送ユニット５は、ローラアームとディスクガイド１７とが互いに近づいて、これらの間にＣＤ２ａ，２ｂを挟み込んで、搬送ローラがモータに回転駆動されることで、ＣＤ２ａ，２ｂを機器本体３に出し入れする。
【００３３】
搬送ユニット５は、ＣＤ２ａ，２ｂの両表面と平行で、かつ挿入口１１と後述する再生位置とを結んだ方向（即ち奥行き方向Ｙ）に沿って、該ＣＤ２ａ，２ｂを搬送する。また、搬送ユニット５は、クランプ再生ユニット６がＣＤ２ａ，２ｂをクランプして該ＣＤ２ａ，２ｂの情報を読み取る際に、ローラアームとディスクガイド１７とが互いに離れて、クランプ再生ユニット６の動作を妨げることがない。
【００３４】
クランプ再生ユニット６は、互いに接離自在に設けられたキャリッジシャーシと、クランプアーム１８とを備えている。キャリッジシャーシには、回転自在に支持された回転テーブルと光ピックアップ部とが取り付けられている。
【００３５】
クランプアーム１８には、回転テーブルとの間にＣＤ２ａ，２ｂを挟んで、当該ＣＤ２ａ，２ｂをクランプするクランパ１９が取り付けられている。なお、本明細書では、回転テーブルとクランパ１９との間に挟まれた際のＣＤ２ａ，２ｂの位置及び回転テーブルとクランパ１９との間に挟まれることが可能なＣＤ２ａ，２ｂの位置を再生位置とする。また、挿入口１１と前記再生位置との間は、ＣＤ２ａ，２ｂの搬送経路をなしている。
【００３６】
前述したクランプ再生ユニット６は、搬送ユニット５によって機器本体３内に挿入されたＣＤ２ａ，２ｂをキャリッジシャーシとクランプアーム１８との間に挟んで、ＣＤ２ａ，２ｂを回転テーブルが回転させて、当該ＣＤ２ａ，２ｂの情報を光ピックアップ部が読み出して再生する。
【００３７】
連動機構は、ＣＤ２ａ，２ｂを搬送する際には、搬送ユニット５のディスクガイド１７とローラアームの搬送ローラとを互いに近づけ、キャリッジシャーシとクランプアーム１８とを互いに遠ざけておく。連動機構は、搬送ユニット５によって再生位置にＣＤ２ａ，２ｂが位置付けられると、キャリッジシャーシとクランプアーム１８とを互い近づけて回転テーブルとクランパ１９との間にＣＤ２ａ，２ｂを挟むとともに、搬送ユニット５のディスクガイド１７とローラアームの搬送ローラとを互いに遠ざけて、これらのディスクガイド１７とローラアームの搬送ローラがＣＤ２ａ，２ｂに干渉することを規制する。このように、連動機構は、搬送ユニット５とクランプ再生ユニット６の動作を連動させる。
【００３８】
ディスクセンタリング機構４は、図３に示すように、第１センタリングアーム２０ａと、第２センタリングアーム２０ｂと、一つのリンクレバー２１と、付勢手段としてのコイルばね２８とを備えている。
【００３９】
第１及び第２センタリングアーム２０ａ，２０ｂは、それぞれ、挿入口１１の近傍に配されている。第１及び第２センタリングアーム２０ａ，２０ｂは、幅方向Ｘ即ち挿入口１１の長手方向に沿って、互いに間隔をあけて配置されている。このため、第２センタリングアーム２０ｂは、第１センタリングアーム２０ａと機器本体３の幅方向Ｘに間隔をあけて配置されている。
【００４０】
第１及び第２センタリングアーム２０ａ，２０ｂは、それぞれ、帯状のアーム本体２３と、突出ピン２４と、を備えている。第１及び第２センタリングアーム２０ａ，２０ｂそれぞれのアーム本体２３は、挿入口１１寄りの一端部が互いに近づいたり離れたり（接離）するように、回転自在にシャーシ本体１０の底板１４に支持されている。
【００４１】
第１及び第２センタリングアーム２０ａ，２０ｂのうちの図３中の右側に位置する第１センタリングアーム２０ａのアーム本体２３は、その長手方向の中央部を中心として回転自在に設けられている。第１及び第２センタリングアーム２０ａ，２０ｂのうちの図３中の左側に位置する第２センタリングアーム２０ｂのアーム本体２３は、機器本体３の奥側に位置する他端部を中心として回転自在に設けられている。
【００４２】
前述した第１及び第２センタリングアーム２０ａ，２０ｂのアーム本体２３は、ＣＤ２ａ，２ｂを出し入れしていない際に位置付けられる長手方向が奥行き方向Ｙと略平行となる初期位置（図３に示す）と、この初期位置から一端部が互いに最も離れた解除位置（図１７に示す）とに亘って、変位可能に底板１４に回転自在に支持されている。
【００４３】
突出ピン２４は、アーム本体２３の一端部から天井板１５即ち挿入口１１の内側に向かって突出している。突出ピン２４は、円柱状に形成されている。
【００４４】
リンクレバー２１は、直線状に伸びた帯板状に形成されている。リンクレバー２１は、その長手方向が幅方向Ｘと平行な状態で底板１４上に重ねられて、幅方向Ｘ即ち奥行き方向Ｙに対して交差（図示例では直交）する方向に沿って、スライド自在に底板１４に支持されている。リンクレバー２１は、ロック機構７によって、その一端部が前述した第１センタリングアーム２０ａのアーム本体２３の機器本体３の奥側の他端部に連結し、他端部が前述した第２センタリングアーム２０ｂのアーム本体２３の長手方向の中央部に連結している。このように、リンクレバー２１は、ロック機構７によって、第１センタリングアーム２０ａのアーム本体２３の回転中心よりも当該アーム本体２３の他端部寄りの箇所と、第２センタリングアーム２０ｂのアーム本体２３の回転中心よりも当該アーム本体２３の一端部寄りの箇所とを連結している。
【００４５】
前述した構成によって、リンクレバー２１は、幅方向Ｘに沿って底板１４に対してスライドすることで、一端部即ち突出ピン２４が互いに離れるように、及び、一端部即ち突出ピン２４が互いに近づくように、第１及び第２センタリングアーム２０ａ，２０ｂのアーム本体２３を同期させて回転させる。こうして、リンクレバー２１は、第１及び第２センタリングアーム２０ａ，２０ｂのアーム本体２３を同期させて回転させて、一対のセンタリングアーム２０ａ，２０ｂを前記初期位置と解除位置とに亘って変位させる。
【００４６】
コイルばね２８は、底板１４とリンクレバー２１とに掛け渡されて、第１及び第２センタリングアーム２０ａ，２０ｂのアーム本体２３の一端部即ち突出ピン２４同士が近づく方向に、リンクレバー２１を介して前述した第１及び第２センタリングアーム２０ａ，２０ｂを付勢している。このため、第１及び第２センタリングアーム２０ａ，２０ｂは、ＣＤ２ａ，２ｂを搬送していない状態では、前述した初期位置に位置付けられる。
【００４７】
ロック機構７は、図３に示すように、リンクレバー２１の両端部から第１及び第２センタリングアーム２０ａ，２０ｂのアーム本体２３に向かって突出したカムピン２２と、一対のセンタリングアーム２０ａ，２０ｂそれぞれのアーム本体２３のリンクレバー２１の連結箇所に設けられたカム孔２５と、カム孔２５それぞれの内縁に設けられた第１及び第２凹み２６ａ，２６ｂと、を備えている。
【００４８】
カムピン２２は、柱状に形成されて、図示例では、リンクレバー２１と一体に形成されている。
【００４９】
カム孔２５は、図４及び図５に示すように、第１及び第２センタリングアーム２０ａ，２０ｂそれぞれのアーム本体２３を貫通しているとともに、円弧状に形成されている。カム孔２５は、第１及び第２センタリングアーム２０ａ，２０ｂの双方のアーム本体２３に設けられている。各カム孔２５は、第１及び第２センタリングアーム２０ａ，２０ｂの双方のアーム本体２３の回転中心から放射方向に延在しているとともに、当該放射方向に対して回転中心から離れるのに対して徐々に湾曲している。
【００５０】
第１センタリングアーム２０ａに設けられたカム孔２５は、図４に示すように、当該第１センタリングアーム２０ａのアーム本体２３の回転中心から離れるのにしたがって徐々に機器本体３の奥側に向かうように湾曲している。第２センタリングアーム２０ｂに設けられたカム孔２５は、図５に示すように、当該第２センタリングアーム２０ｂのアーム本体２３の回転中心から離れるのにしたがって徐々に挿入口１１に向かうように湾曲している。
【００５１】
カム孔２５には、前述したカムピン２２が侵入している。また、カム孔２５内には、カムピン２２が該カム孔２５の長手方向に沿って移動自在となっている。カム孔２５内をカムピン２２が移動することで、ロック機構７は、リンクレバー２１と協働して、第１及び第２センタリングアーム２０ａ，２０ｂを互いに連動させて回転させる。
【００５２】
なお、第１センタリングアーム２０ａが前述した初期位置に位置付けられると、この第１センタリングアーム２０ａに設けられたカム孔２５は、機器本体３の奥側の端部内にカムピン２２を位置付ける。また、第２センタリングアーム２０ｂが前述した初期位置に位置付けられると、この第２センタリングアーム２０ｂに設けられたカム孔２５は、機器本体３の挿入口１１寄りの端部内にカムピン２２を位置付ける。
【００５３】
第１センタリングアーム２０ａが、初期位置から回転するのに連動して、当該第１センタリングアーム２０ａのアーム本体２３に設けられたカム孔２５内に侵入したカムピン２２は、カム孔２５の挿入口１１寄りに移動して、前述した解除位置でカム孔２５の挿入口１１寄りの端部に位置付けられる。
【００５４】
また、第２センタリングアーム２０ｂが、初期位置から回転するのに連動して、当該第２センタリングアーム２０ｂのアーム本体２３に設けられたカム孔２５内に侵入したカムピン２２は、カム孔２５の機器本体３の奥側に移動して、前述した解除位置でカム孔２５の機器本体３の奥側の端部に位置付けられる。
【００５５】
第１凹み２６ａは、図４に示すように、第１センタリングアーム２０ａのアーム本体２３に設けられている。第１凹み２６ａは、カム孔２５の中央部でかつ機器本体３の幅方向の外側の内縁から凹形状に設けられている。このため、第１凹み２６ａは、カム孔２５の幅を他の部分よりも広くしている。第１凹み２６ａ内には、カムピン２２が侵入可能となっている。第１凹み２６ａ内にカムピン２２が侵入すると、第１センタリングアーム２０ａのアーム本体２３の回転が規制される（回転できなくなる）。
【００５６】
第２凹み２６ｂは、図５に示すように、第２センタリングアーム２０ｂのアーム本体２３に設けられている。第２凹み２６ｂは、カム孔２５の中央部でかつ機器本体３の幅方向の内側の内縁から凹形状に設けられている。このため、第２凹み２６ｂは、カム孔２５の幅を他の部分よりも広くしている。第２凹み２６ｂ内には、カムピン２２が侵入可能となっている。第２凹み２６ｂ内にカムピン２２が侵入すると、第２センタリングアーム２０ｂのアーム本体２３の回転が規制される（回転できなくなる）。
【００５７】
第１及び第２センタリングアーム２０ａ，２０ｂのうちの一方に設けられたカム孔２５の第１及び第２凹み２６ａ，２６ｂ内にカムピン２２が侵入したときの第１及び第２センタリングアーム２０ａ，２０ｂの突出ピン２４間の距離は、前述した小径ＣＤ２ｂの外径よりも大きく大径ＣＤ２ａの外径よりも小さい。このため、ロック機構７は、小径ＣＤ２ｂを機器本体３に出し入れする際には、第１及び第２センタリングアーム２０ａ，２０ｂのうちの一方に設けられたカム孔２５の第１及び第２凹み２６ａ，２６ｂ内にカムピン２２が侵入したときを超えて、第１及び第２センタリングアーム２０ａ，２０ｂの突出ピン２４同士が離れること即ち第１及び第２センタリングアーム２０ａ，２０ｂのアーム本体２３が回転することを規制する。
【００５８】
なお、第１及び第２センタリングアーム２０ａ，２０ｂのうちの一方に設けられたカム孔２５の第１及び第２凹み２６ａ，２６ｂ内にカムピン２２が侵入したときの第１及び第２センタリングアーム２０ａ，２０ｂの突出ピン２４よりも小径ＣＤ２ｂが機器本体３の幅方向Ｘの外側に位置付けられると、該小径ＣＤ２ｂを機器本体３の外部と再生位置（クランプ再生ユニット６が当該小径ＣＤ２ｂをクランプできる位置）とに亘って搬送することができなくなる。なお、第１及び第２センタリングアーム２０ａ，２０ｂのうちの一方に設けられたカム孔２５の第１及び第２凹み２６ａ，２６ｂ内にカムピン２２が侵入したときの第１及び第２センタリングアーム２０ａ，２０ｂの突出ピン２４の位置は、小径ＣＤ２ｂを機器本体３に出し入れ可能な範囲の境界となっている。
【００５９】
このように、ロック機構７は、小径ＣＤ２ｂを機器本体３に出し入れする際には、第１及び第２センタリングアーム２０ａ，２０ｂのうちの一方の突出ピン２４のみに該小径ＣＤ２ｂが接触した場合、該一方の突出ピン２４のみが小径ＣＤ２ｂから他方の突出ピン２４から離れる方向に押される。そして、ロック機構７は、第１及び第２センタリングアーム２０ａ，２０ｂのうちの一方に設けられたカム孔２５の第１及び第２凹み２６ａ，２６ｂ内にカムピン２２が侵入して、小径ＣＤ２ｂを機器本体３に出し入れ可能となる範囲を超えて、第１及び第２センタリングアーム２０ａ，２０ｂの突出ピン２４が互いに離れることを規制する。
【００６０】
こうして、第１凹み２６ａは、第１センタリングアーム２０ａの突出ピン２４のみが第２センタリングアーム２０ｂの突出ピン２４から離れる方向に押圧されるとカムピン２２が侵入して大径ＣＤ２ａを機器本体に出し入れ可能とするまで第１及び第２センタリングアーム２０ａ，２０ｂのアーム本体２３が回転することを規制する。第２凹み２６ｂは、第２センタリングアーム２０ｂの突出ピン２４のみが第１センタリングアーム２０ａの突出ピン２４から離れる方向に押圧されるとカムピン２２が侵入して大径ＣＤ２ａを機器本体３に出し入れ可能とするまで第１及び第２センタリングアーム２０ａ，２０ｂのアーム本体２３が回転することを規制する。
【００６１】
また、第１及び第２センタリングアーム２０ａ，２０ｂでは、これらの第１及び第２センタリングアーム２０ａ，２０ｂを初期位置から解除位置に向かって回転させていくと、第１センタリングアーム２０ａに設けられたカム孔２５の第１凹み２６ａ内にカムピン２２が侵入した後、第２センタリングアーム２０ｂに設けられたカム孔２５の第２凹み２６ｂ内にカムピン２２が侵入する位置に、前述した第１及び第２凹み２６ａ，２６ｂを配置している。このように、第１センタリングアーム２０ａの初期位置からカムピン２２が第１凹み２６ａ内に侵入するまでの当該第１センタリングアーム２０ａのアーム本体２３の回転角度θ１（図６に示す）が、第２センタリングアーム２０ｂの初期位置からカムピン２２が第２凹み２６ｂ内に侵入するまでの当該第２センタリングアーム２０ｂのアーム本体２３の回転角度θ２（図７に示す）よりも小さく形成されている。
【００６２】
前述した構成のディスクセンタリング機構４は、第１及び第２センタリングアーム２０ａ，２０ｂが前述した初期位置に付勢され、かつ突出ピン２４にＣＤ２ａ，２ｂの外縁が当接することで、突出ピン２４に当接したＣＤ２ａ，２ｂをＣＤプレーヤ１の幅方向Ｘの中央に導き、挿入口１１を通されて機器本体３に挿入されたＣＤ２ａ，２ｂを前述した再生位置に案内する。即ち、ディスクセンタリング機構４は、ＣＤ２ａ，２ｂの移動方向を案内する。
【００６３】
さらに、ディスクセンタリング機構４の第１及び第２センタリングアーム２０ａ，２０ｂは、挿入口１１を通して機器本体３に出し入れされるＣＤ２ａ，２ｂの外縁が突出ピン２４に当接することで、ＣＤ２ａ，２ｂを機器本体３に出し入れする際に、ＣＤ２ａ，２ｂの移動と連動して、シャーシ本体１０の底板１４に対して回転する。則ち、第１及び第２センタリングアーム２０ａ，２０ｂは、ＣＤ２ａ，２ｂを機器本体３に出し入れする際に、ＣＤ２ａ，２ｂの移動と連動して、機器本体３に対して移動する。
【００６４】
また、第１センタリングアーム２０ａのカム孔２５は、図４に示すように、前記第１凹み２６ａを境にして、挿入口１１寄りの端部の中心線Ｃ１（図４中に点線で示す）と、機器本体３の奥寄りの端部の中心線Ｃ２（図４中に点線で示す）とが、カム孔２５の幅方向に互いにずれて配置されている。図示例では、前記中心線Ｃ１，Ｃ２は、互いに平行に配置され、機器本体３の奥寄りの端部の中心線Ｃ２が挿入口１１寄りの端部の中心線Ｃ１よりも機器本体３の幅方向Ｘの外側に配置されている。
【００６５】
さらに、第２センタリングアーム２０ｂのカム孔２５は、図５に示すように、前記第２凹み２６ｂを境にして、挿入口１１寄りの端部の中心線Ｃ３（図５中に点線で示す）と、機器本体３の奥寄りの端部の中心線Ｃ４（図５中に点線で示す）とが、カム孔２５の幅方向に互いにずれて配置されている。図示例では、前記中心線Ｃ３，Ｃ４は、互いに平行に配置され、挿入口１１寄りの端部の中心線Ｃ３が機器本体３の奥寄りの端部の中心線Ｃ４よりも機器本体３の幅方向Ｘの外側に配置されている。
【００６６】
このため、大径ＣＤ２ａを機器本体３外に排出する際に、カムピン２２が第１センタリングアーム２０ａのカム孔２５の機器本体３の奥側の端部即ち初期位置から第１凹み２６ａに至る間は、当該カムピン２２が、カム孔２５の第１凹み２６ａと相対する内縁に摺動し、かつカムピン２２が第１凹み２６ａを過ぎると、カムピン２２が第２センタリングアーム２０ｂのカム孔２５の第２凹み２６ｂと相対する内縁に摺動する。このように、カム孔２５は、前記第１及び第２凹み２６ａ，２６ｂを境にして、その中心線Ｃ１，Ｃ２，Ｃ３，Ｃ４がずれている。
【００６７】
また、カム孔２５の中心線Ｃ１，Ｃ２，Ｃ３，Ｃ４が前述したようにずれているので、第１及び第２センタリングアーム２０ａ，２０ｂのアーム本体２３の長手方向は、奥行き方向Ｙに対して角度θ（図３に示す）傾いている。第１センタリングアーム２０ａでは、突出ピン２４が、機器本体３の幅方向Ｘの外側に位置するようにアーム本体２３が奥行き方向Ｙに対して傾き、第２センタリングアーム２０ｂでは、突出ピン２４が、機器本体３の幅方向Ｘの内側に位置するようにアーム本体２３が奥行き方向Ｙに対して傾いている。
【００６８】
案内機構８は、図３に示すように、一対のガイド部材２７を備えている。ガイド部材２７は、それそれ、機器本体３の幅方向の両端に設けられ、シャーシ本体１０などに固定されている。一対のガイド部材２７は、奥行き方向Ｙに沿って直線状に延在しており、互いの間にＣＤ２ａ，２ｂを位置付けて、これらのＣＤ２ａ，２ｂを案内する。
【００６９】
μＣＯＭは、前述した搬送ユニット５と、クランプ再生ユニット６と、連動機構と、ディスクセンタリング機構４の一方のセンタリングアーム２０ａの回転角度を検出するスイッチやエンコーダなどのセンサとに接続して、これらの動作を制御して、ＣＤプレーヤ１全体の制御をつかさどる。
【００７０】
次に、前述した構成のＣＤプレーヤ１の作用（動作）について説明する。まず、ＣＤ２ａ，２ｂが機器本体３内に挿入されていない状態では、搬送ユニット５のローラアームの搬送ローラとディスクガイド１７とが互いに近づき、クランプ再生ユニット６のキャリッジシャーシとクランプアーム１８とが互いに離れている。また、ディスクセンタリング機構４は、図３に示す初期位置に位置付けられている。
【００７１】
まず、ＣＤプレーヤ１の使用者が挿入口１１内にＣＤ２ａ，２ｂを挿入する。すると、搬送ローラが回転して、前述した図示しないモータの駆動力によって回転された搬送ローラとディスクガイド１７との間にＣＤ２ａ，２ｂが挟まれる。搬送ローラが回転しているため、ＣＤ２ａ，２ｂは、キャリッジシャーシとクランプアーム１８との間に向かって搬送される。
【００７２】
このとき、小径ＣＤ２ｂを挿入して、この小径ＣＤ２ｂが第１及び第２センタリングアーム２０ａ，２０ｂのうちの一方の突出ピン２４のみに当接した場合、カムピン２２が第１凹み２６ａと第２凹み２６ｂのうちいずれかに侵入して、第１及び第２センタリングアーム２０ａ，２０ｂのアーム本体２３の回転が規制された状態で当該小径ＣＤ２ｂをキャリッジシャーシとクランプアーム１８との間に向かって搬送する。
【００７３】
また、大径ＣＤ２ａを挿入すると、この大径ＣＤ２ａが第１及び第２センタリングアーム２０ａ，２０ｂのうちの双方の突出ピン２４に当接して、カムピン２２が第１凹み２６ａと第２凹み２６ｂのいずれにも侵入せずに、第１及び第２センタリングアーム２０ａ，２０ｂのアーム本体２３の回転が規制されることなく、当該大径ＣＤ２ａをキャリッジシャーシとクランプアーム１８との間に向かって搬送する。
【００７４】
ＣＤ２ａ，２ｂが再生位置に位置付けられると、連動機構が、クランプ再生ユニット６のキャリッジシャーシとクランプアーム１８とを互いに近づけ、搬送ユニット５のディスクガイド１７とローラアームの搬送ローラとを互いに離す。そして、クランプ再生ユニット６は、クランパ１９と回転テーブルとの間にＣＤ２ａ，２ｂを挟んで則ちクランプして、該ＣＤ２ａ，２ｂの情報を読み出して音声として出力する。
【００７５】
前記ＣＤプレーヤ１は、前述したＣＤ２ａ，２ｂの再生などが終了して、該ＣＤ２ａ，２ｂを機器本体３内から排出する際には、連動機構が搬送ユニット５のディスクガイド１７とローラアームの搬送ローラとを互いに近づけ、クランプ再生ユニット６のキャリッジシャーシとクランプアーム１８とを互いに離す。そして、搬送ローラを回転駆動して、ＣＤ２ａ，２ｂを排出する。
【００７６】
このとき、小径ＣＤ２ｂを排出する際に、この小径ＣＤ２ｂが初期位置に位置付けられた第１及び第２センタリングアーム２０ａ，２０ｂのうちの一方の突出ピン２４のみに当接した場合、カムピン２２が第１凹み２６ａと第２凹み２６ｂのうちいずれかに侵入して、第１及び第２センタリングアーム２０ａ，２０ｂのアーム本体２３の回転が規制された状態で当該小径ＣＤ２ｂを機器本体３外に向かって搬送する。
【００７７】
また、大径ＣＤ２ａを排出する際には、当該大径ＣＤ２が、図８に示すように、図中最も右側によって右側のガイド部材２７に接触した状態であっても、第１及び第２センタリングアーム２０ａ，２０ｂのアーム本体２３の長手方向が奥行き方向Ｙに対して前述した角度θ傾いているので、図１０（ａ）に示すように、初期位置に位置付けられた第２センタリングアーム２０ｂの突出ピン２４が大径ＣＤ２ａの外縁に接触し、図１０（ｂ）に示すように、初期位置に位置付けられた第１センタリングアーム２０ａの突出ピン２４が大径ＣＤ２ａの外縁から間隔をあける（に接触しない）。大径ＣＤ２ａが排出されると、第２センタリングアーム２０ｂの突出ピン２４は機器本体３の幅方向Ｘの外側に押圧されて、第２センタリングアーム２０ｂのアーム本体２３は、突出ピン２４が幅方向Ｘの外側に向かう方向に回転する。
【００７８】
このとき、前述した第２センタリングアーム２０ｂのアーム本体２３に設けられたカム孔２５の中心線Ｃ３，Ｃ４が前述したようにずれているので、図９（ａ）に示すように、当該第２センタリングアーム２０ｂのカム孔２５の第２凹み２６ｂ寄りの内縁をカムピン２２が摺動して、当該カムピン２２を図８中の左側に第２センタリングアーム２０ｂのアーム本体２３が引っ張ることとなる。そして、リンクレバー２１が図８中の左側に引っ張られると、前述した第１センタリングアーム２０ａのアーム本体２３に設けられたカム孔２５の中心線Ｃ１，Ｃ２が前述したようにずれているので、図９（ｂ）に示すように、当該第１センタリングアーム２０ａのカム孔２５の第１凹み２６ａと相対する内縁をカムピン２２が摺動して、第１センタリングアーム２０ａのアーム本体２３が、突出ピン２４が幅方向Ｘの外側に向かう方向に回転する。こうして、図１０（ｂ）及び図１１に示すように、第１センタリングアーム２０ａの突出ピン２４が大径ＣＤ２ａの外縁に接触することなく、突出ピン２４が互いに離れる方向に第１及び第２センタリングアーム２０ｂのアーム本体２３が回転する。
【００７９】
そして、第１センタリングアーム２０ａの第１凹み２６ａとカムピン２２が並ぶ位置に位置付けられても、図１２（ｂ）に示すように、当該カムピン２２は、カム孔２５の第１凹み２６ａと相対する内縁に摺動する。なお、このとき、第２センタリングアーム２０ｂのカム孔２５内のカムピン２２は、当該カム孔２５の挿入口１１寄りの端部内に位置して、図１２（ａ）に示すように、第２凹み２６ｂ寄りの内縁を摺動している。そして、図１３（ａ）に示すように、第２センタリングアーム２０ｂの突出ピン２４が大径ＣＤ２ａの外縁に接触し、図１３（ｂ）に示すように、第１センタリングアーム２０ａの突出ピン２４が大径ＣＤ２ａの外縁に接触することなく、突出ピン２４が互いに離れる方向に第１及び第２センタリングアーム２０ｂのアーム本体２３が回転する。
【００８０】
そして、更に、大径ＣＤ２ａが機器本体３の外側に排出されて、第１センタリングアーム２０ａのカム孔２５内のカムピン２２が第１凹み２６ａを超えると、第２センタリングアーム２０ｂのカム孔２５のカムピン２２が一旦第２凹み２６ｂ内に侵入する。すると、リンクレバー２１が図１４中左側に引っ張られなくなり、第１及び第２センタリングアーム２０ｂのアーム本体２３の回転が一旦停止する。すると、図１６（ｂ）に示すように、大径ＣＤ２ａが第１センタリングアーム２０ａの突出ピン２４に接触して、当該突出ピン２４を機器本体３の幅方向Ｘの外側に向かって押圧する。すると、第１センタリングアーム２０ａのアーム本体２３が回転するとともに、第１センタリングアーム２０ａのカム孔２５の中心線Ｃ１，Ｃ２が前述したようにずれているので、第１センタリングアーム２０ａのカム孔２５内のカムピン２２が、図１５（ｂ）に示すように、当該カム孔２５の第１凹み２６ａ寄りの内縁を摺動する。
【００８１】
すると、第１センタリングアーム２０ａの回転により、カム孔２５の内縁及びカムピン２２を介して、リンクレバー２１が図１４中の左側に押圧される。すると、リンクレバー２１が図１４中の左側に移動して、第２センタリングアーム２０ｂのカム孔２５内のカムピン２２が第２凹み２６ｂから抜け出て、図１５（ａ）に示すように、当該カム孔２５の第２凹み２６ｂと相対する内縁に押し付けられる。すると、第２センタリングアーム２０ｂのカム孔２５内のカムピン２２により当該第２センタリングアーム２０ｂのアーム本体２３が機器本体３の幅方向Ｘの外側に押圧されて、突出ピン２４が機器本体３の外側に向かうように、回転する。そして、図１６（ａ）に示すように、第２センタリングアーム２０ｂの突出ピン２４が大径ＣＤ２ａの外縁から間隔をあけることとなる。
【００８２】
そして、図１８（ａ）に示すように、第２センタリングアーム２０ｂのカム孔２５内のカムピン２２が第２凹み２６ｂと相対する内縁を摺動し、図１８（ｂ）に示すように、第１センタリングアーム２０ａのカム孔２５内のカムピン２２が第１凹み２６ａ寄りの内縁を摺動して、図１９（ａ）に示すように、第２センタリングアーム２０ｂの突出ピン２４が大径ＣＤ２ａの外縁と間隔をあけ、図１９（ｂ）に示すように、第１センタリングアーム２０ａの突出ピン２４が大径ＣＤ２ａの外縁に接触した状態で、図１７に示すように、大径ＣＤ２ａを排出していく。こうして、当該大径ＣＤ２ａを機器本体３外に向かって搬送する。
【００８３】
本実施例によれば、大径ＣＤ２ａを排出する際に、初期位置から第１凹み２６ａに至る間はカムピン２２が第１センタリングアーム２０ａのカム孔２５の第１凹み２６ａと相対する内縁に摺動し、かつ第１凹み２６ａを過ぎるとカムピン２２が第２センタリングアーム２０ｂカム孔２５の第２凹み２６ｂと相対する内縁に摺動するように、前記カム孔２５の中心線Ｃ１，Ｃ２，Ｃ３，Ｃ４を、第１及び第２凹み２６ａ，２６ｂを境にしてずらしている。このために、大径ＣＤ２ａを排出する際に、カムピン２２が第１及び第２凹み２６ａ，２６ｂに侵入して係止することを防止でき、ロック機構７により第１及び第２センタリングアーム２０ａ，２０ｂのアーム本体２３の回転が規制されて、大径ＣＤ２ａを機器本体３外に排出できなくなることを防止できる。したがって、経年変化により搬送ローラに異物が付着したり、部品の公差などにより、排出する大径ＣＤ２ａが幅方向Ｘの常に一方向のみによってしまう場合でも、当該大径ＣＤ２ａを機器本体３外に確実に排出することができる。
【００８４】
また、ロック機構７が、カム孔２５を各センタリングアーム２０ａ，２０ｂに設け、カムピン２２をリンクレバー２１の両端部に設けている。このために、大径ＣＤ２ａを機器本体３外に確実に排出することができるに加え、一本のリンクレバー２１により、各センタリングアーム２０ａ，２０ｂを同期させて回転させることができるので、部品点数が増加することを防止できる。
【実施例２】
【００８５】
次に、本発明の第２の実施例にかかるＣＤプレーヤ１を、図２０ないし図２５に基づいて説明する。なお、前述した第１の実施例と同一部分には、同一符号を付して説明を省略する。
【００８６】
本実施例では、リンクレバー２１は、一対設けられている。これら一対のリンクレバー２１は、それぞれ、第１及び第２センタリングアーム２０のアーム本体２３の他端部と回転自在に連結している。また、リンクレバー２１は、互いにカムピンとしての連結ピン３０により回転自在に連結されている。
【００８７】
また、本実施例では、ロック機構７は、図２０に示すように、カムピンとしての前述した連結ピン３０と、カム孔３１と、第１及び第２凹み２６ａ，２６ｂとを備えている。連結ピン３０は、円柱状に形成されている。
【００８８】
カム孔３１は、本実施例では、一つのみ設けられ、シャーシ本体１０の底板１４に設けられている。カム孔３１は、第１及び第２センタリングアーム２０ａ，２０ｂ間でかつ機器本体３のシャーシ本体１０の底板１４の幅方向Ｘの中央に設けられ、勿論、シャーシ本体１０の底板１４を貫通している。カム孔３１は、その全長に亘って、その幅が、連結ピン３０の幅即ち外径よりも大きく形成されている。
【００８９】
カム孔３１は、第１直線部３２と、第２直線部３３と、傾斜部３４とを備えている。第１直線部３２と第２直線部３３は、機器本体３の奥行き方向Ｙに沿って直線状に延在しており、第１直線部３２は、第２直線部３３よりも機器本体３の奥側に設けられている。また、第１直線部３２は、第１及び第２センタリングアーム２０ａ，２０ｂの中間位置よりも第２センタリングアーム２０ａ，２０ｂ寄りに配置され、第２直線部３３は、第１及び第２センタリングアーム２０ｂの中間位置よりも第１センタリングアーム２０ａ寄りに配置されている。また、傾斜部３４は、第１直線部３２と第２直線部３３とを連結して直線状に延在している。
【００９０】
第１凹み２６ａは、第１直線部３２と傾斜部３４との交差部に設けられ、カム孔３１の第１センタリングアーム２０ａから離れた側の内縁から凹に形成されている。第２凹み２６ｂは、第２直線部３３と傾斜部３４との交差部に設けられ、カム孔３１の第２センタリングアーム２０ｂから離れた側の内縁から凹に形成されている。このため、第２凹み２６ｂは、第１凹み２６ａよりも挿入口１１寄りに設けられている。また、直線部３２，３３が前述した配置とされ、かつ凹み２６ａ，２６ｂが前述した位置に配置されているので、カム孔３１の中心線Ｃ５，Ｃ６（図２１中に点線で示す）は、凹み２６ａ，２６ｂを境にずれていることとなる。なお、中心線Ｃ５は、第１直線部３２の中心線であり、中心線Ｃ６は、第２直線部３３の中心線である。
【００９１】
本実施例のロック機構７は、第１及び第２センタリングアーム２０ａ，２０ｂのうちいずれかの突出ピン２４が他方の突出ピン２４から離れる方向に押されると、リンクレバー２１同士を連結した連結ピン３０がいずれかの凹み２６ａ，２６ｂ内に侵入する。そして、ロック機構７は、連結ピン３０が凹み２６ａ，２６ｂ内に侵入した状態から、第１及び第２センタリングアーム２０ａ，２０ｂの突出ピン２４が互いに離れることを防止する。すなわち、ロック機構７は、第１及び第２センタリングアーム２０ａ，２０ｂのいずれか一方のみの突出ピン２４が他方の突出ピン２４から離れる方向に押圧されると、連結ピン３０が凹み２６ａ，２６ｂ内に侵入した状態からアーム本体２３の回転を規制して、前述した第１の実施例と同様に、大径ＣＤ２ａを機器本体３に出し入れ可能とするまで一対のセンタリングアーム２０ａ，２０ｂのアーム本体２３が回転することを規制する。
【００９２】
本実施例のＣＤプレーヤ１において、大径ＣＤ２ａを機器本体３外に排出する際には、第１及び第２センタリングアーム２０ａ，２０ｂのアーム本体２３の長手方向が奥行き方向Ｙに対して前述した第１の実施例と同様に傾いているので、図２２に示すように、初期位置に位置付けられた第２センタリングアーム２０ｂの突出ピン２４が大径ＣＤ２ａの外縁に接触し、初期位置に位置付けられた第１センタリングアーム２０ａの突出ピン２４が大径ＣＤ２ａの外縁から間隔をあける（に接触しない）。大径ＣＤ２ａが排出されると、第２センタリングアーム２０ｂの突出ピン２４は機器本体３の幅方向Ｘの外側に押圧されて、第２センタリングアーム２０ｂのアーム本体２３は、突出ピン２４が幅方向Ｘの外側に向かう方向に回転する。
【００９３】
このとき、前述した第２センタリングアーム２０ｂのアーム本体２３に設けられたカム孔３１の中心線Ｃ５，Ｃ６が前述したようにずれており、更に、第２センタリングアーム２０ｂのアーム本体２３の回転により連結ピン３０が図２２中の左側に押圧されるので、図２３に示すように、当該連結ピン３０がカム孔３１の第２凹み２６ｂ寄りでかつ第１凹み２６ａと相対した内縁を摺動して、当該連結ピン３０が挿入口１１に向かって移動する。すると、連結ピン３０及びリンクレバー２１から引っ張られて、第１センタリングアーム２０ａが、突出ピン２４が大径ＣＤ２ａの外縁から間隔をあけたまま突出ピン２４が幅方向Ｘの外側に向かうように当該第１センタリングアーム２０ａのアーム本体２３が回転する。
【００９４】
そして、連結ピン３０が、傾斜部３４内を通って第２直線部３３内に侵入すると、一旦、第２凹み２６ｂ内に侵入する。すると、リンクレバー２１が前述したように引っ張られなくなり、第１及び第２センタリングアーム２０ｂのアーム本体２３の回転が一旦停止する。すると、大径ＣＤ２ａが第１センタリングアーム２０ａの突出ピン２４に接触して、当該突出ピン２４を機器本体３の幅方向Ｘの外側に向かって押圧する。すると、第１センタリングアーム２０ａのアーム本体２３が回転して、連結ピン３０を図２４中の右側に押圧するとともに、カム孔３１の中心線Ｃ５，Ｃ６が前述したようにずれているので、カム孔３１内の連結ピン３０が、第２凹み２６ｂから抜け出て、図２５に示すように、当該カム孔３１の第１凹み２６ａ寄りでかつ第２凹み２６ｂと相対する内縁を摺動する。
【００９５】
すると、第１センタリングアーム２０ａの回転により、カム孔３１内をカムピン２２が挿入口１１に向って移動して、リンクレバー２１から引っ張られて第２センタリングアーム２０ｂの突出ピン２４が機器本体３の外側に向かうように、第２センタリングアーム２０ｂのアーム本体２３が回転する。そして、図２４に示すように、第２センタリングアーム２０ｂの突出ピン２４が大径ＣＤ２ａの外縁から間隔をあけることとなる。こうして、当該大径ＣＤ２ａを機器本体３外に向かって搬送する。
【００９６】
本実施例においても、前述した第１の実施例と同様に大径ＣＤ２ａを排出する際に、初期位置から第１凹み２６ａに至る間は連結ピン３０がカム孔３１の第１凹み２６ａと相対する内縁に摺動し、かつ第１凹み２６ａ及び第２凹み２６ｂを過ぎるとカムピン２２がカム孔３１の第２凹み２６ｂと相対する内縁に摺動するように、前記カム孔３１の中心線Ｃ５，Ｃ６を、第１及び第２凹み２６ａ，２６ｂを境にしてずらしている。このために、大径ＣＤ２ａを排出する際に、カムピン２２が第１及び第２凹み２６ａ，２６ｂに侵入して係止することを防止でき、ロック機構７により第１及び第２センタリングアーム２０ａ，２０ｂのアーム本体２３の回転が規制されて、大径ＣＤ２ａを機器本体３外に排出できなくなることを防止できる。したがって、経年変化により搬送ローラに異物が付着したり、部品の公差などにより、排出する大径ＣＤ２ａが幅方向Ｘの常に一方向のみによってしまう場合でも、当該大径ＣＤ２ａを機器本体３外に確実に排出することができる。
【００９７】
さらに、本実施例によれば、ロック機構７が、カム孔３１を機器本体３に設け、第１凹み２６ａ及び第２凹み２６ｂをカム孔３１の内縁に設けている。このために、大径ＣＤ２ａを機器本体３外に確実に排出することができるに加え、カム孔３１を一つのみ設け、さらに当該一つのカム孔３１に第１及び第２凹み２６ａ，２６ｂを一体に形成するので、加工に要する工数がすることを防止できる。
【００９８】
前述した実施例では、記録媒体として、ディスク形記録媒体としてのＣＤ２ａ，２ｂを示している。しかしながら、本発明では、例えば、記録媒体としてのＭＤ（Mini Disc）
、ＤＶＤ（Digital VersatileDisc）などの他の記録媒体を用いても良い。また、本発明
では、ディスク形に限らず種々の形状の記録媒体を用いても良い。
【００９９】
また、前述した実施例では、記録媒体から情報を読み出す（情報を再生する）ＣＤプレーヤ１を示している。しかしながら、本発明では、記録媒体から情報を読み出す情報処理装置に限ることなく、例えば、情報を記録媒体に記録する記録装置や、情報の再生及び記録を行う情報記録再生装置としても適用可能としても良い。
【０１００】
なお、前述した実施例は本発明の代表的な形態を示したに過ぎず、本発明は、実施例に限定されるものではない。即ち、本発明の骨子を逸脱しない範囲で種々変形して実施する
ことができる。
【０１０１】
前述した実施例によれば、以下のＣＤプレーヤ１が得られる。
【０１０２】
（付記）  互いに大きさの異なる大径ＣＤ２ａと小径ＣＤ２ｂとを機器本体３内に出し入れして、これらのＣＤ２ａ，ＣＤ２ｂに記録された情報を読み出すＣＤプレーヤ１において、
機器本体３に回転自在に支持されたアーム本体２３と、前記アーム本体２３の前記機器本体３の挿入口１１寄りの一端部に設けられ前記大径ＣＤ２ａと小径ＣＤ２ｂとの双方と接触可能な突出ピン２４と、を有した第１センタリングアーム２０ａと、
前記第１センタリングアーム２０ａと前記機器本体３の幅方向Ｘに間隔をあけて配置され、かつ機器本体３に回転自在に支持されたアーム本体２３と、前記アーム本体２３の前記挿入口１１寄りの一端部に設けられ前記大径ＣＤ２ａと小径ＣＤ２ｂとの双方と接触可能な突出ピン２４と、を有した第２センタリングアーム２０ｂと、
前記第１センタリングアーム２０ａと前記第２センタリングアーム２０ｂの前記アーム本体２３を同期させて回転させるリンクレバー２１と、
前記第１センタリングアーム２０ａと前記第２センタリングアーム２０ｂの突出ピン２４が互いに近づく方向に付勢するコイルばね２８と、
カム孔２５，３１と、前記第１センタリングアーム２０ａと前記第２センタリングアーム２０ｂの回転に連動して前記カム孔２５，３１内を移動するカムピン２２，３０と、前記カム孔２５，３１の内縁から凹に形成されかつ前記第１センタリングアーム２０ａの突出ピン２４のみが第２センタリングアーム２０ｂの突出ピン２４から離れる方向に押圧されると前記カムピン２２，３０が侵入して前記大径ＣＤ２ａを前記機器本体３に出し入れ可能とするまで前記第１及び第２センタリングアーム２０ａ，２０ｂのアーム本体２３が回転することを規制する第１凹み２６ａと、前記カム孔２５，３２の内縁から凹に形成されかつ前記第２センタリングアーム２０ｂの突出ピン２４のみが第１センタリングアーム２０ａの突出ピン２４から離れる方向に押圧されると前記カムピン２２，３０が侵入して前記大径ＣＤ２ａを前記機器本体３に出し入れ可能とするまで前記第１及び第２センタリングアーム２０ａ，２０ｂのアーム本体２３が回転することを規制する第２凹み２６ｂとを有し、前記第１センタリングアーム２０ａの初期位置から前記カムピン２２，３０が前記第１凹み２６ａ内に侵入するまでの前記第１センタリングアーム２０ａの前記アーム本体２３の回転角度θ１が前記第２センタリングアーム２０ｂの初期位置から前記カムピン２２，３が前記第２凹み２６ｂ内に侵入するまでの前記第２センタリングアーム２０ｂの前記アーム本体２３の回転角度θ２よりも小さく形成されたロック機構７と、を備え、
前記大径ＣＤ２ａを排出する際に、前記カムピン２２，３０が前記初期位置から前記第１凹み２６ａに至る間は当該カムピン２２，３０が前記カム孔２５の前記第１凹み２６ａと相対する内縁に摺動し、かつ前記カムピン２２，３０が前記第１凹み２６ａを過ぎると、前記カムピン２２，３０が前記カム孔２５の前記第２凹み２６ｂと相対する内縁に摺動するように、前記カム孔２５は、前記第１及び第２の凹み２６ａ，２６ｂを境にして、その中心線Ｃ１，Ｃ２，Ｃ３，Ｃ４，Ｃ５，Ｃ６がずれていることを特徴とするＣＤプレーヤ１。
【０１０３】
付記によれば、大径ＣＤ２ａを排出する際に、初期位置から第１凹み２６ａに至る間はカムピン２２が第１センタリングアーム２０ａのカム孔２５の第１凹み２６ａと相対する内縁に摺動し、かつ第１凹み２６ａを過ぎるとカムピン２２が第２センタリングアーム２０ｂカム孔２５の第２凹み２６ｂと相対する内縁に摺動するように、前記カム孔２５の中心線Ｃ１，Ｃ２，Ｃ３，Ｃ４を、第１及び第２凹み２６ａ，２６ｂを境にしてずらしている。このために、大径ＣＤ２ａを排出する際に、カムピン２２が第１及び第２凹み２６ａ，２６ｂに侵入して係止することを防止でき、ロック機構７により第１及び第２センタリングアーム２０ａ，２０ｂのアーム本体２３の回転が規制されて、大径ＣＤ２ａを機器本体３外に排出できなくなることを防止できる。したがって、経年変化により搬送ローラに異物が付着したり、部品の公差などにより、排出する大径ＣＤ２ａが幅方向Ｘの常に一方向のみによってしまう場合でも、当該大径ＣＤ２ａを機器本体３外に確実に排出することができる。
【符号の説明】
【０１０４】
１  ＣＤプレーヤ（情報処理装置）
２ａ  大径ＣＤ（大径記録媒体）
２ｂ  小径ＣＤ（小径記録媒体）
３  機器本体
７  ロック機構
１１  挿入口
２０ａ  第１センタリングアーム
２０ｂ第２センタリングアーム
２１  リンクレバー
２２  カムピン
２３  アーム本体
２４  突出ピン
２５  カム孔
２６ａ  第１凹み
２６ｂ  第２凹み
２８  コイルばね（付勢手段）
３０  連結ピン（カムピン）
３１  カム孔
Ｃ１，Ｃ２，Ｃ３，Ｃ４，Ｃ５，Ｃ６  中心線
θ１，θ２  回転角度
Ｘ  幅方向
【図１】
2010192014.tif 000003
【図２】
2010192014.tif 000004
【図３】
2010192014.tif 000005
【図４】
2010192014.tif 000006
【図５】
2010192014.tif 000007
【図６】
2010192014.tif 000008
【図７】
2010192014.tif 000009
【図８】
2010192014.tif 000010
【図９】
2010192014.tif 000011
【図１０】
2010192014.tif 000012
【図１１】
2010192014.tif 000013
【図１２】
2010192014.tif 000014
【図１３】
2010192014.tif 000015
【図１４】
2010192014.tif 000016
【図１５】
2010192014.tif 000017
【図１６】
2010192014.tif 000018
【図１７】
2010192014.tif 000019
【図１８】
2010192014.tif 000020
【図１９】
2010192014.tif 000021
【図２０】
2010192014.tif 000022
【図２１】
2010192014.tif 000023
【図２２】
2010192014.tif 000024
【図２３】
2010192014.tif 000025
【図２４】
2010192014.tif 000026
【図２５】
2010192014.tif 000027